(57)【要約】【課題】ＩＥＥＥ８０２．１１における通信領域予約信号（ＮＡＶ）を用いて、複数の無線システムを同一領域で動作させること。【解決手段】通信端末収容装置は、アンテナ１０１、無線部１０２、制御部１０６、論理リンク制御部１０４、媒体アクセス制御部１０３ａにより、通信端末装置との間で無線通信を行っており、さらに、通信領域予約部１０７で必要時（例えば通信開始時）に通信領域予約信号を生成し、この通信領域予約信号を無線部１０２及びアンテナ１０１を介して通信端末装置に送信する。【選択図】図１
2007028666.tif 000002
【特許請求の範囲】
【請求項１】
マスタ・スレーブ型ネットワークにおけるパケット通信を行う通信端末収容装置が通信開始時に通信領域予約信号を送信し、前記通信領域予約信号を受信した異なるシステムの通信端末装置が通信を抑制することを特徴とする通信領域予約方法。
【発明の詳細な説明】
【技術分野】
【０００１】
本発明は、無線ＬＡＮ（Local Area Network）における通信領域予約方法に関する。
【背景技術】
【０００２】
近年、公衆、オフィス、ホームなどの様々なユーザ環境において、高速、大容量のデータ伝送が望まれており、このデータ伝送技術として無線ＬＡＮ（Local Area Network）技術が注目されている。この無線ＬＡＮとしては、広帯域無線ＬＡＮ（HiperLAN2,HiSWANa）やＩＥＥＥ８０２．１１ａなどで標準化活動が進められているシステムがある。
【０００３】
広帯域無線ＬＡＮは、１つの通信端末収容装置による集中制御を行うことにより、複数の通信端末が通信端末収容装置と通信を行う形式のマスタ・スレーブ型ネットワークである。具体的には、通信端末収容装置であるアクセスポイント（Access Point：ＡＰ）がモバイルターミナル（Mobile Terminal：ＭＴ）に対して通信に関する制御を集中して行っている。したがって、ＭＴが通信を行う場合には、必ずＡＰを介して通信を行うように構成されている。
【０００４】
また、HiperLAN2では端末間通信モードが規定されている。端末間通信モードではＡＰの許可により、端末同士が直接送受信することができる期間が与えられる。この場合は通信の制御はＡＰを介する必要があるが、送受するデータ自体はＡＰを介さずに伝送できる。
【０００５】
ＩＥＥＥ８０２．１１ａのシステムは、ダイレクト接続型ネットワークである、集中制御型（Point Coordination Function：ＰＣＦ）と分散制御型（Distributed Coordination Function：ＤＣＦ）が規定されている。集中制御型は、制御機能を備えたポイントコーディネータ（Point Coordinator：ＰＣ）がステーション（ＳＴＡ）に対して通信に関する制御を集中して行っている。したがって、ＳＴＡが通信を行う場合には、必ずＰＣの制御に従って通信を行うように構成されている。
【０００６】
一方、分散制御型は、個々のＳＴＡが、データを送信する前に一定時間キャリアセンスを行い、伝送媒体の空きを確認した後に、通信を行うように構成されている。
【０００７】
このように、広帯域無線ＬＡＮやＩＥＥＥ８０２．１１ａでは、個々の無線ＬＡＮのシステムとして規格化されている。現在、それぞれのシステムを融合する試みがなされている。
【発明の開示】
【発明が解決しようとする課題】
【０００８】
ＩＥＥＥ８０２．１１ａにおいて、通信領域予約信号（ＮＡＶ）が規定されており、この通信領域予約信号を受信した通信端末は指定された期間はキャリアセンス時に伝送媒体の空きがなかった場合と同等の動作をするように決められている。
【０００９】
上述したように、広帯域無線ＬＡＮやＩＥＥＥ８０２．１１ａのシステムを融合することを考えた場合、ＩＥＥＥ８０２．１１ａにおける通信領域予約信号（ＮＡＶ）を広帯域無線ＬＡＮからも用いて、ＩＥＥＥ８０２．１１ａの通信端末との衝突を抑制することができるようにすることが予想される。
【００１０】
本発明はかかる点に鑑みてなされたものであり、ＩＥＥＥ８０２．１１における通信領域予約信号（ＮＡＶ）を用いて、広帯域無線ＬＡＮの通信端末の送信を停止させることができる通信領域予約方法を提供することを目的とする。
【課題を解決するための手段】
【００１１】
本発明の通信領域予約方法は、マスタ・スレーブ型ネットワークにおけるパケット通信を行う通信端末収容装置が通信開始時に通信領域予約信号を送信し、前記通信領域予約信号を受信した異なるシステムの通信端末装置が通信を抑制することを特徴とする。
【００１２】
この方法によれば、HiperLAN2/HiSWANaなどの広帯域無線ＬＡＮシステムの運用領域において、通信端末収容装置と干渉する恐れのあるＩＥＥＥ８０２．１１ａシステムの通信端末装置の送信を抑制することができる。
【００１３】
本発明の通信領域予約方法は、マスタ・スレーブ型ネットワークにおけるパケット通信を行う通信端末装置が通信開始時に通信領域予約信号を送信し、前記通信領域予約信号を受信した異なるシステムの通信端末装置が通信を抑制することを特徴とする。
【００１４】
この方法によれば、HiperLAN2/HiSWANaなどの広帯域無線ＬＡＮシステムの運用領域において、通信をしようとする通信端末装置と干渉する恐れのあるＩＥＥＥ８０２．１１ａシステムの通信端末装置の送信を抑制することができる。
【００１５】
本発明の通信領域予約方法は、上記方法において、複数の通信端末装置が一斉に通信領域予約信号を送信することを特徴とする。
【００１６】
この方法によれば、通信端末装置１台づつが通信領域予約を設定する場合に比べて、リソースの消費を大幅に抑えることができる。
【００１７】
本発明の通信領域予約方法は、上記方法において、複数の通信端末装置が一斉に通信領域予約信号を送信する場合に、あらかじめ決められた通信領域予約信号を送信することを特徴とする。
【００１８】
この方法によれば、通信領域予約の設定に用いられる通信領域予約信号（データ）を送信するだけにすることができ、通信領域予約の設定だけのためにＩＥＥＥ８０２．１１ａの全ての仕様を満たすデバイスに作り込む必要がなくなり、回路規模の増大を抑えることができる。
【００１９】
本発明の通信領域予約方法は、上記方法において、送信タイミングを制御するためのタイムアライメント値の半分の値を用いて送信タイミングを制御することを特徴とする。
【００２０】
本発明の通信領域予約方法は、上記方法において、タイムアライメント値の半分の値を負の時間方向に用いて送信タイミングを制御することを特徴とする。
【００２１】
これらの方法によれば、複数の通信端末装置が同時に通信領域予約信号を送信する場合において、複数の通信端末装置が通信領域予約信号を受信する時間のずれを小さくすることができる。
【００２２】
本発明の通信領域予約方法は、上記方法において、送信タイミングを制御するためのタイムアライメント値を用いずに送信タイミングを制御することを特徴とする。
【００２３】
この方法によれば、通信端末収容装置が指定する時間のずれ量の補正のための回路をバイパスさせることができるので回路の増大を抑えることができる。
【００２４】
本発明の通信領域予約方法は、上記方法において、一定の確率で実際に通信領域予約信号を送信するかどうかを決定することを特徴とする。
【００２５】
この方法によれば、他の通信端末装置が近くにいて、一方の通信領域予約信号の送信で十分な時や、送信電力が過大になってしまうような時の通信領域予約信号の送信を抑えることができる。
【００２６】
本発明の通信領域予約方法は、上記方法において、一定の確率は、パケットの衝突頻度に基づいて算出されることを特徴とする。
【００２７】
この方法によれば、衝突頻度をパラメータとして、自局の周囲に通信端末装置が少ない時に自局が通信領域予約信号を送信する確率を上げることができ、近くに他の通信端末装置がない場合に逆に通信領域予約を増やすことができる。
【００２８】
本発明の通信領域予約方法は、上記方法において、過去の通信結果に基づいて通信領域予約信号を送信するかどうかを決定することを特徴とする。
【００２９】
この方法によれば、これまでに何らかの形で通信を阻害されていたり、通信端末収容装置からの電力は十分なのに誤りが大きい場合などに通信領域予約信号を送信せず、必要な時にのみ通信領域予約信号を送信することができる。その結果、無駄な電力を消費しないようにすることができる。
【００３０】
本発明の通信領域予約方法は、上記方法において、他の通信端末装置からの通信領域予約信号の電力をそれぞれ測定し、前記電力の合計値と自局が送信する通信領域予約信号の電力とが規定電力値内に収まるように前記自局が送信する通信領域予約信号の電力を制御することを特徴とする。
【００３１】
この方法によれば、送信電力が過大になってしまうのを抑えつつ、最適な電力までは送信するので、十分な領域に通信領域予約信号を届かせることができる。
【００３２】
本発明の無線通信装置は、マスタ・スレーブ型ネットワークにおけるパケット通信を行う通信端末収容装置の機能を備えた無線通信装置であって、通信領域予約信号を生成する通信領域予約信号生成手段と、前記通信領域予約信号を通信端末装置に送信する送信手段と、を具備する構成を採る。
【００３３】
この構成によれば、HiperLAN2/HiSWANaなどの広帯域無線ＬＡＮシステムの運用領域において、通信端末収容装置と干渉する恐れのあるＩＥＥＥ８０２．１１ａシステムの通信端末装置の送信を抑制することができる。
【００３４】
本発明の無線通信装置は、マスタ・スレーブ型ネットワークにおけるパケット通信を行う通信端末装置の機能を備えた無線通信装置であって、通信領域予約信号を生成する通信領域予約信号生成手段と、前記通信領域予約信号を通信端末装置及び／又は通信端末収容装置に送信する送信手段と、を具備する構成を採る。
【００３５】
この構成によれば、HiperLAN2/HiSWANaなどの広帯域無線ＬＡＮシステムの運用領域において、通信をしようとする通信端末装置と干渉する恐れのあるＩＥＥＥ８０２．１１ａシステムの通信端末装置の送信を抑制することができる。
【００３６】
本発明の通信領域予約プログラムは、コンピュータに、マスタ・スレーブ型ネットワークにおけるパケット通信を行う通信端末収容装置が通信領域予約信号を生成する手順と、通信開始時に通信領域予約信号を送信する手順と、を実行させるためのプログラムである。
【００３７】
本発明の通信領域予約プログラムは、コンピュータに、マスタ・スレーブ型ネットワークにおけるパケット通信を行う通信端末装置が通信領域予約信号を生成する手順と、通信開始時に通信領域予約信号を送信する手順と、を実行させるためのプログラムである。
【００３８】
これらの構成によれば、通信領域予約方法をハードウェアで実現した場合と同様の効果を発揮することができる。
【発明の効果】
【００３９】
本発明によれば、マスタ・スレーブ型ネットワークにおけるパケット通信を行う通信端末収容装置又は通信端末装置が通信開始時に通信領域予約信号を送信し、前記通信領域予約信号を受信した異なるシステムの通信端末装置が通信を抑制するので、HiperLAN2/HiSWANaなどの広帯域無線ＬＡＮシステムの運用領域において、通信端末収容装置や通信をしようとする通信端末装置と干渉する恐れのあるＩＥＥＥ８０２．１１ａシステムの通信端末装置の送信を抑制することができる。
【発明を実施するための最良の形態】
【００４０】
以下、本発明の実施の形態について、添付図面を参照して詳細に説明する。
【００４１】
（実施の形態１）
図１は、本発明の実施の形態１に係る無線通信装置である通信端末収容装置の構成を示すブロック図である。
【００４２】
この通信端末収容装置は、上り回線信号の受信及び下り回線信号の送信を行うアンテナ１０１と、上り回線信号の無線受信処理（ダウンコンバートやＡ／Ｄ変換など）及び下り回線信号の無線送信処理（Ｄ／Ａ変換やアップコンバートなど）を行う無線部１０２と、装置全体を制御する制御部１０６と、通信媒体で直接接続された通信端末装置間のためのプロトコルを取り扱う論理リンク制御部１０４と、通信端末装置間で共有される通信媒体へのアクセス制御を行う媒体アクセス制御部１０３ａと、アクセス制御のスケジュールを行うスケジューラ１０３ｂと、通信領域予約信号を生成する通信領域予約部１０７と、ネットワーク１０８とのインターフェースであるネットワークインターフェース１０５と、各処理部を接続するバス１０９とから主に構成されている。
【００４３】
このような構成の通信端末収容装置は、アンテナ１０１、無線部１０２、制御部１０６、論理リンク制御部１０４、媒体アクセス制御部１０３ａにより、通信端末装置との間で無線通信を行っており、さらに、通信領域予約部１０７で必要時（例えば通信開始時）に通信領域予約信号を生成し、この通信領域予約信号を無線部１０２及びアンテナ１０１を介して周囲のＩＥＥＥ８０２．１１ａ通信端末装置（ＳＴＡ）に送信する。
【００４４】
このように、マスタ・スレーブ型ネットワークにおけるパケット通信を行う通信端末収容装置（ＡＰ）がＩＥＥＥ８０２．１１のシステムで用いる通信領域予約信号（ＮＡＶ）を送信することにより、HiperLAN2/HiSWANaなどの広帯域無線ＬＡＮシステムの運用領域において、通信端末収容装置と干渉する恐れのあるＩＥＥＥ８０２．１１ａシステムの通信端末装置（ＳＴＡ）の送信を抑制することができる。
【００４５】
図２は、本発明の実施の形態１に係る無線通信装置である通信端末装置の構成を示すブロック図である。
【００４６】
この通信端末装置は、下り回線信号の受信及び上り回線信号の送信を行うアンテナ２０１と、下り回線信号の無線受信処理（ダウンコンバートやＡ／Ｄ変換など）及び上り回線信号の無線送信処理（Ｄ／Ａ変換やアップコンバートなど）を行う無線部２０２と、装置全体を制御する制御部２０６と、通信媒体で直接接続された通信端末収容装置間のためのプロトコルを取り扱う論理リンク制御部２０４と、通信端末収容装置間で共有される通信媒体へのアクセス制御を行う媒体アクセス制御部２０３と、通信領域予約信号を生成する通信領域予約部２０７と、上位レイヤ２０８とのインターフェースであるインターフェース２０５と、各処理部を接続するバス２０９とから主に構成されている。
【００４７】
このような構成の通信端末装置は、アンテナ２０１、無線部２０２、制御部２０６、論理リンク制御部２０４、媒体アクセス制御部２０３により、通信端末収容装置との間で無線通信を行っており、さらに、通信領域予約部２０７で必要時（例えば通信開始時）に通信領域予約信号を生成し、この通信領域予約信号を無線部２０２及びアンテナ２０１を介して周囲のＩＥＥＥ８０２．１１ａ通信端末装置（ＳＴＡ）に送信する。
【００４８】
このように、マスタ・スレーブ型ネットワークにおけるパケット通信を行う通信端末装置（ＭＴ）がＩＥＥＥ８０２．１１のシステムで用いる通信領域予約信号（ＮＡＶ）を送信することにより、HiperLAN2/HiSWANaなどの広帯域無線ＬＡＮシステムの運用領域において、通信をしようとする通信端末装置と干渉する恐れのあるＩＥＥＥ８０２．１１ａシステムの通信端末装置（ＳＴＡ）の送信を抑制することができる。
【００４９】
このように、複数の通信端末装置（ＭＴ）と通信端末収容装置（ＡＰ）とが通信領域予約信号を通信端末装置（ＳＴＡ）に送信することにより、図３の実線で示す領域において、通信領域予約がされたことになり、この実線で示す領域内の複数の通信端末装置（ＳＴＡ）は、通信領域予約信号を受信したときに予約された期間通信を抑制される。
【００５０】
ここで、複数の通信端末装置が一斉に通信領域予約信号を送信する場合について説明する。複数の通信端末装置が通信領域予約信号を送信する場合、通信端末装置１台づつが通信領域予約を設定する場合に比べて、リソースの消費を大幅に抑えることができる。
【００５１】
この場合、すなわち複数の通信端末装置が一斉に通信領域予約信号を送信する場合に、あらかじめ決められた通信領域予約信号を送信することが望ましい。具体的には、図４に示すように、通信領域予約部１０７，２０７を規定の予約信号保持部４０１と予約信号出力部４０２とで構成し、通信領域予約信号を生成する際に、規定の予約信号保持部４０１に保持された、あらかじめ決められたデータを抽出し、予約信号出力部４０２から通信領域予約信号として出力する。そして、このあらかじめ決められたデータの通信領域予約信号を周囲の通信端末装置（ＳＴＡ）に送信して、通信領域予約を行う。
【００５２】
これにより、通信領域予約の設定に用いられる通信領域予約信号（データ）を送信するだけにすることができ、通信領域予約の設定だけのためにＩＥＥＥ８０２．１１ａの全ての仕様を満たすデバイスに作り込む必要がなくなり、回路規模の増大を抑えることができる。
【００５３】
なお、あらかじめ決められたデータの通信領域予約信号の内容は、通信端末収容装置で生成される場合と通信端末装置で生成される場合とで異なっていても良く、同じであっても良い。ただし、通信端末装置が同時に送信する場合には、全く同じデータの通信領域予約信号を送信する。
【００５４】
（実施の形態２）
本実施の形態では、通信端末装置が通信端末収容装置の指示で一斉に通信領域予約信号を送信する場合のタイミング制御について説明する。
【００５５】
図５は、本発明の実施の形態２に係る無線通信装置である通信端末収容装置の一部の構成を示すブロック図である。図５において、図１と同じ部分については図１と同じ符号を付してその詳細な説明は省略する。
【００５６】
図５に示す通信端末収容装置の通信領域予約部１０７は、タイムアライメント参照部５０１と、タイムアライメント値演算部５０２と、補正値反転部５０３と、タイムアライメント値再設定部５０４と、ＭＴ通信領域予約指示部５０５とから主に構成されている。
【００５７】
通信端末装置から一斉に通信領域予約信号を送信する場合、まず、通信端末収容装置から通信領域予約信号を送信する旨の制御情報を各通信端末装置に報知する。この制御信号はＭＴ通信領域予約指示部５０５で認識され、認識された旨の制御信号がタイムアライメント参照部５０１に出力される。
【００５８】
タイムアライメント参照部５０１では、通常のデータ通信用のタイムアライメント値を各通信端末装置毎に取得する。なお、タイムアライメントについては、ＡＲＩＢ  ＳＴＤ−Ｔ７０  ５．３．５節に記載されている。
【００５９】
取得した各通信端末装置のタイムアライメント値は、タイムアライメント値演算部５０２に出力される。タイムアライメント値演算部５０２では、各通信端末装置でタイミング（通信領域予約信号の送信タイミング）が周囲の通信端末に対して受信時間のずれが最小になるように、各通信端末装置毎にタイムアライメント値を調整する。具体的には、タイムアライメント値の半分の値を演算により求める。そして、タイムアライメント値演算部５０２は、各通信端末装置毎の演算値を補正値反転部５０３に出力する。
【００６０】
補正値反転部５０３では、演算値の符号をそれぞれ反転する。すなわち、演算値を負の値にする。そして、補正値反転部５０３は、各通信端末装置毎の演算値の負の値をタイムアライメント値再設定部５０４に出力する。タイムアライメント値再設定部５０４は、媒体アクセス制御部で設定されたアライメント値に演算値の負の値をそれぞれ上書きしてタイムアライメント値を再設定する。再設定された各通信端末装置毎のタイムアライメント値は、ＭＴ通信領域予約指示部５０５に出力される。
【００６１】
ＭＴ通信領域予約指示部５０５では、各通信端末装置毎のタイムアライメント値で各通信端末装置に対して通信領域予約信号を送信する旨の制御信号を生成する。すなわち、タイムアライメント値の半分の値を負の時間方向に用いて送信タイミングを制御する。そして、この制御信号は、各通信端末装置毎にタイミング制御されて各通信端末装置に送信される。この結果、各通信端末装置は、一斉に通信領域予約信号を周囲の通信端末装置（ＳＴＡ）に対して送信する。
【００６２】
このようにすることにより、複数の通信端末装置が同時に通信領域予約信号を送信する場合において、制御された送信タイミングで複数の通信端末装置が通信領域予約信号を送信するので、通信領域予約信号を受信する通信端末での時間のずれを小さくすることができる。
【００６３】
図６は、本発明の実施の形態２に係る無線通信装置である通信端末収容装置の一部の構成を示すブロック図である。図６において、図５と同じ部分については図５と同じ符号を付してその詳細な説明は省略する。
【００６４】
図６に示す通信端末収容装置の通信領域予約部１０７は、ＭＴ通信領域予約指示部５０５と、タイムアライメント値初期化指示部６０１とから主に構成されている。
【００６５】
この場合においては、通信端末装置から一斉に通信領域予約信号を送信するとき、まず、通信端末収容装置から通信領域予約信号を送信する旨の制御情報を各通信端末装置に報知する。この制御信号はＭＴ通信領域予約指示部５０５で認識されると共にタイムアライメント値初期化指示部６０１に送られる。
【００６６】
タイムアライメント値初期化部６０１は、通信端末装置に通信領域予約信号を送信する旨の指示を行うタイミング（タイムアライメント値）を初期化するようにＭＴ通信領域予約指示部５０５に指示する。ＭＴ通信領域予約指示部５０５では、通信領域予約信号を送信する旨の指示を行うタイミングを初期化して、各通信端末装置に対して通信領域予約信号を送信する旨の制御信号を生成する。そして、この制御信号は、各通信端末装置毎にタイミング制御されて各通信端末装置に送信される。この結果、各通信端末装置は、一斉に通信領域予約信号を周囲の通信端末装置（ＳＴＡ）に対して送信する。
【００６７】
このように構成することにより、通常のデータ部分はタイムアライメントされるが、通信領域予約信号の送信タイミングだけはタイムアライメントの影響を受けない状態で各通信端末装置に制御信号が送信される。これにより、通信端末収容装置が指定する時間のずれ量の補正のための回路をバイパスさせることができ、回路の増大を抑えることができる。
【００６８】
図７は、本発明の実施の形態２に係る無線通信装置である通信端末収容装置の一部の構成を示すブロック図である。図７において、図５と同じ部分については図５と同じ符号を付してその詳細な説明は省略する。
【００６９】
図７に示す通信端末収容装置の通信領域予約部１０７は、タイムアライメント参照部５０１と、タイムアライメント値演算部５０２と、タイムアライメント値再設定部５０４と、ＭＴ通信領域予約指示部５０５とから主に構成されている。
【００７０】
この場合において、通信端末装置から一斉に通信領域予約信号を送信するときは、まず、通信端末収容装置から通信領域予約信号を送信する旨の制御情報を各通信端末装置に報知する。この制御信号はＭＴ通信領域予約指示部５０５で認識され、認識された旨の制御信号がタイムアライメント参照部５０１に出力される。
【００７１】
ＭＴ通信領域予約指示部５０５では、各通信端末装置毎のタイムアライメント値で各通信端末装置に対して通信領域予約信号を送信する旨の制御信号を生成する。すなわち、タイムアライメント値の半分の値を用いて送信タイミングを制御する。そして、この制御信号は、各通信端末装置毎にタイミング制御されて各通信端末装置に送信される。この結果、各通信端末装置は、一斉に通信領域予約信号を周囲の通信端末装置（ＳＴＡ）に対して送信する。
【００７２】
このようにすることにより、複数の通信端末装置が同時に通信領域予約信号を送信する場合において、制御された送信タイミングで複数の通信端末装置が通信領域予約信号を送信するので、通信領域予約信号を受信する際の時間のずれを小さくすることができる。特に、補正値反転部を経由しないので、図５の構成よりもタイムアライメント値の演算値をより迅速に送信タイミング制御に反映させることが可能となる。
【００７３】
（実施の形態３）
通信端末装置が通信領域予約信号を一斉に送信する場合、例えば他の通信端末装置が近くにいて、一方の通信領域予約信号の送信で十分な時や、送信電力が過大になってしまうような時の通信領域予約信号の送信を抑える必要がある。本実施の形態では、このような時の通信領域予約信号の送信を抑える場合について説明する。
【００７４】
図８に示すように、上方の実線８０２の領域内には、ＭＴが少ないので、通信領域予約信号を確実に送信する必要があるが、点線８０１の領域内では、ＭＴが多いので、ＭＴがそれぞれ確率的に通信領域予約信号を送信しないと、送信電力が過大になってしまうことになる。
【００７５】
したがって、このような場合には、一定の確率で実際に通信領域予約信号を送信するかどうかを決定することが望ましい。これにより、他の通信端末装置が近くにいて、一方の通信領域予約信号の送信で十分な時や、送信電力が過大になってしまうような時の通信領域予約信号の送信を抑えることができる。
【００７６】
一定の確率は、何らかのデータから通信の誤り率に応じて求める。例えば、一定の確率は、パケットの衝突頻度に基づいて算出されることが望ましい。具体的には、図９に示すように、衝突頻度が高い場合は、通信が阻害されている可能性があると考えられるので、通信領域予約信号を送信する確率を高くする。一方、衝突頻度が低い場合は、通信が阻害されていないと考えられるので、通信領域予約信号を送信する確率を低くする。
【００７７】
このようにすることにより、衝突頻度をパラメータとして、自局の周囲に通信を阻害する通信端末装置が少ない時に自局が通信領域予約信号を送信する確率を下げることができ、近くに通信を阻害する通信端末装置が多い場合に逆に通信領域予約を増やすことができる。
【００７８】
また、他の通信端末装置が近くにいて、一方の通信領域予約信号の送信で十分な時や、送信電力が過大になってしまうような時の通信領域予約信号の送信を抑える場合には、過去の通信結果に基づいて通信領域予約信号を送信するかどうかを決定することが望ましい。具体的には、図１０に示すように、通信結果がＮＧであることが所定回数連続した場合には、誤りが大きく、通信領域予約信号を送信しないといけないと判断し、通信領域予約信号を送信する。
【００７９】
このようにすることにより、これまでに何らかの形で通信を阻害されていたり、通信端末収容装置からの電力は十分なのに誤りが大きい場合などの必要な時にのみ通信領域予約信号を送信することができる。その結果、電力消費を抑えるができる。
【００８０】
また、他の通信端末装置が近くにいて、一方の通信領域予約信号の送信で十分な時や、送信電力が過大になってしまうような時の通信領域予約信号の送信を抑える場合には、他の通信端末装置からの通信領域予約信号の電力を測定し、この電力と自局が送信する通信領域予約信号の電力とが規定電力値内に収まるように自局が送信する通信領域予約信号の電力を制御することが望ましい。
【００８１】
このような制御は、図１１に示す構成を有する通信端末装置により実現することができる。図１１は、本発明の実施の形態３に係る無線通信装置である通信端末装置の一部の構成を示すブロック図である。
【００８２】
図１１に示す通信端末装置の通信領域予約部２０７は、予約信号出力電力指示部１１０１と、出力電力算出部１１０２と、周囲電力参照部１１０３とから主に構成されている。
【００８３】
この場合、まず、周囲電力参照部１１０３で周囲の通信端末装置からの通信領域予約信号の電力を参照する。そして、周囲電力参照部１１０３は、この周囲の通信端末装置からの通信領域予約信号の電力を出力電力算出部１１０２に出力する。
【００８４】
出力電力算出部１１０２は、周囲の通信端末装置からの通信領域予約信号の電力とあらかじめ決められた規定電力値とを比較する。具体的には、規定電力値から測定された電力値を差し引いた電力値を算出する。この求められた電力値は、送信電力として利用することができるので、この電力値の範囲内の電力値で通信領域予約信号を送信すれば良いことになる。したがって、この電力値の範囲内で自局の通信領域予約信号の出力電力を求める。この出力電力は、予約信号出力電力指示部１１０１に出力される。予約信号出力電力指示部１１０１は、求められた出力電力で通信領域予約信号を送信することを指示する。
【００８５】
なお、この規定電力値は、他の通信端末装置が近くにいて、一方の通信領域予約信号の送信で十分な時や、送信電力が過大になってしまうような時の通信領域予約信号の送信を抑えることを考慮して適宜決定される。
【００８６】
また、周囲の通信端末装置が送信する通信領域予約信号の電力測定は、自局の送信を停止している間に行うこともできる。この場合、電力測定の回数や頻度については特に制限はない。
【００８７】
このような構成によれば、送信電力が過大になってしまうのを抑えつつ、最適な電力までは送信するので、十分な領域に通信領域予約信号を届かせることができる。
【００８８】
本発明は上記実施の形態１から３に限定されず、種々変更して実施することが可能である。また、上記実施の形態１から３は適宜組み合わせて実施することも可能である。例えば、上記説明における通信端末装置と通信端末収容装置により、無線通信システムを構成することもできる。
【００８９】
また、上述した通信領域予約方法については、ソフトウェアで構成することも可能である。すなわち、コンピュータに、マスタ・スレーブ型ネットワークにおけるパケット通信を行う通信端末収容装置が通信領域予約信号を生成し、通信開始時に通信領域予約信号を送信する手順を実行させるための通信領域予約プログラムや、コンピュータに、マスタ・スレーブ型ネットワークにおけるパケット通信を行う通信端末装置が通信領域予約信号を生成し、通信開始時に通信領域予約信号を送信する手順を実行させるための通信領域予約プログラムとすることもできる。この場合においても、通信領域予約方法をハードウェアで実現した場合と同様の効果を発揮することができる。
【００９０】
上述したように、本発明の通信領域予約方法は、広帯域無線ＬＡＮにおける無線通信における通信端末装置及び通信端末収容装置に適用することが可能である。
【図面の簡単な説明】
【００９１】
【図１】本発明の実施の形態１に係る無線通信装置である通信端末収容装置の構成を示すブロック図
【図２】本発明の実施の形態１に係る無線通信装置である通信端末装置の構成を示すブロック図
【図３】本発明の実施の形態１に係る通信領域予約方法を説明するための図
【図４】本発明の実施の形態１に係る無線通信装置である通信端末収容装置の一部の構成を示すブロック図
【図５】本発明の実施の形態２に係る無線通信装置である通信端末収容装置の一部の構成を示すブロック図
【図６】本発明の実施の形態２に係る無線通信装置である通信端末収容装置の一部の構成を示すブロック図
【図７】本発明の実施の形態２に係る無線通信装置である通信端末収容装置の一部の構成を示すブロック図
【図８】本発明の実施の形態３に係る通信領域予約方法を説明するための図
【図９】本発明の実施の形態３に係る通信領域予約方法を説明するための図
【図１０】本発明の実施の形態３に係る通信領域予約方法を説明するための図
【図１１】本発明の実施の形態３に係る無線通信装置である通信端末装置の一部の構成を示すブロック図
【符号の説明】
【００９２】
１０１，２０１  アンテナ
１０２，２０２  無線部
１０３ａ，２０３  媒体アクセス制御部
１０３ｂ  スケジューラ
１０４，２０４  論理リンク制御部
１０５  ネットワークインターフェース
１０６，２０６  制御部
１０７，２０７  通信領域予約部
１０８  ネットワーク
１０９，２０９  バス
２０５  インターフェース
２０８  上位レイヤ
４０１  規定の予約信号保持部
４０２  予約信号出力部
５０１  タイムアライメント参照部
５０２  タイムアライメント値演算部
５０３  補正値反転部
５０４  タイムアライメント値再設定部
５０５  ＭＴ通信領域予約指示部
６０１  タイムアライメント値初期化指示部
１１０１  予約信号出力電力指示部
１１０２  出力電力算出部
１１０３  周囲電力参照部
【図１】
2007028666.tif 000003
【図２】
2007028666.tif 000004
【図３】
2007028666.tif 000005
【図４】
2007028666.tif 000006
【図５】
2007028666.tif 000007
【図６】
2007028666.tif 000008
【図７】
2007028666.tif 000009
【図８】
2007028666.tif 000010
【図９】
2007028666.tif 000011
【図１０】
2007028666.tif 000012
【図１１】
2007028666.tif 000013